(57)【要約】  本発明は、圧力制御弁（１０）に関し、圧力制御弁は電磁作動部材及びケーシング（１２）を含んでいる。ケーシング（１２）内に接極子（２４）を収容してあり、接極子は磁極管（２０）内を移動できるようになっており、前記磁極管（２０）はマグネットコイル（１６，１８）によって取り囲まれている。接極子（２４）は磁極管（２０）内のフォイル部材（５２，５４）内に支承されている。
2010511133.tif 000002
【特許請求の範囲】
【請求項１】
圧力制御弁（１０）であって、電磁作動部材及びケーシング（１２）を含んでおり、前記ケーシング内には接極子（２４）を磁極管（２０）内に移動可能に受容してあり、前記磁極管（２０）はマグネットコイル（１６，１８）によって取り囲まれている形式のものにおいて、前記接極子（２４）は前記磁極管（２０）内でフォイル部材（５２，５４）内に支承されていることを特徴とする、圧力制御弁。
【請求項２】
前記フォイル部材（５２，５４）は、スリーブ（６４）として形成されていて、前記接極子（２４）の外周面（５０）に受容されている請求項１に記載の圧力制御弁。
【請求項３】
前記フォイル部材（５２，５４）は、スリーブ（６４）として形成されていて、前記磁極管（２０）の内周面（４８）に受容されている請求項１に記載の圧力制御弁。
【請求項４】
前記フォイル部材（５２，５４）は、スリーブ（６４）として形成されていて、突き合わせ継ぎ目（５８）を有している請求項１に記載の圧力制御弁。
【請求項５】
前記フォイル部材（５２，５４）は、スリーブ（６４）として形成されていて、該フォイルの少なくとも外周面（６８）に減摩性のPTFE材料（５４）を有している請求項１に記載の圧力制御弁。
【請求項６】
前記フォイル部材（５２，５４）は、スリーブとして形成されていて、該フォイルの外周面（６８）及び内周面（６６）に減摩性のPTFE材料（５４）を有している請求項１に記載の圧力制御弁。
【請求項７】
前記フォイル部材（５２，５４）の厚さは、２０μｍ乃至２００μｍの範囲、有利には３０μｍ乃至１５０μｍの範囲内である請求項１に記載の圧力制御弁。
【請求項８】
前記フォイル部材（５２，５４）の材料は、PTFE材料（５４）に機械的な安定性を付与するガラス繊維織物から成っている請求項１に記載の圧力制御弁。
【請求項９】
前記フォイル部材（５２，５４）は、スリーブ（６４）として形成されていて、磁極管（２０）の内周面（４８）若しくは接極子（２４）の外周面（５０）に組み付けられて、該組み付け位置に固定されている請求項１から８のいずれか１項に記載の圧力制御弁。
【請求項１０】
前記磁極管（２０）は切欠き（２２）を有しており、該切欠きは、磁気遮断のためにマグネットコイル（１６，１８）の低いコイル電流で飽和状態になる縮小部を画定している請求項１に記載の圧力制御弁。
【発明の詳細な説明】
【技術分野】
【０００１】
本発明は、圧力制御弁であって、電磁作動部材及びケーシングを含んでおり、前記ケーシング内では接極子を磁極管内に移動可能に受容してあり、つまり前記ケーシング内に接極子を収容してあり、該接極子は前記ケーシング内の磁極管内を移動できるようになっており、前記磁極管はマグネットコイルによって取り囲まれている形式のものに関する。
【０００２】
今日の乗用車用自動変速機には、ギヤの切換のための液力操作式のクラッチを用いるようになっている。ギヤチェンジをスムースに行うために、クラッチにおける液体の圧力は所定の圧力勾配に依存して高い圧力精度で調節されねばならない。圧力勾配を調節するために、電磁操作式の圧力制御弁を用いるようになっている。圧力制御弁は、一般的に弁座を備えた座弁として、若しくはスプールを備えたスプール弁として形成されている。必要な圧力レベルは、圧力バランサー若しくは調圧器を介して達成され、電磁石の電流に依存して変化する力は液力で弁座に伝達されるようになっている。
【０００３】
必要な圧力精度を達成するために、コイル電流によって変化する磁力を正確な特性線に沿って推移させる必要がある。電磁石内、特に接極子支承部の機械的な摩擦は、磁力のヒステリシス、ひいては制御圧力の精度不良を引き起こすことになる。
【０００４】
コストの理由から、乗用車用の自動変速機には電磁石を用いるようになっており、この場合に、磁束を半径方向で接極子（鉄心）へ導く構成部分と接極子に対して相補的な磁極を成す構成部分とは、１つの構成部品にまとめられており、該構成部品は磁極管と称される。磁極管における磁束の短絡を避けるために、磁極管若しくは構成部品にＶ溝を設けてある。Ｖ溝によって磁束経路の断面を減少せる部分は、すでに低いコイル電流で飽和状態に達して、磁気遮断機能の空隙として作用するようになっている。このような磁極管構成においては、接極子は好ましくは直接に磁極管内に支承されるようになっており、したがって付加的な支承構成部分の費用は削減されている。さらに、接極子と磁極管との間の間隙に狭いことに基づき高い磁気効率、ひいては高い磁力を達成している。
【０００５】
しかしながら支承部の前記構成においては、欠点として磁気の比較的高い横方向力が生じ、その結果高い摩耗、ひいてはヒステリシスが生じて、圧力精度が低下している。このような欠点を避けるために、従来技術では減摩作用のある被覆を施すようになっており、該被覆は、接極子と磁極管との間の空隙における磁気遮断作用をも生ぜしめている。しかしながらこのような被覆は、一般的に高価であり、それとうのは被覆工程時の種々の処理を必要とし、場合によっては所定の幾何学寸法精度を得るために被覆の機械的な後加工を必要とするからである。さらに、従来用いられている被覆は、例えばテフロン支承部の使用によって得られる最適な摩擦値を達成できていない。
【０００６】
米国特許出願公開第２００４／００８５１６９Ａ１号明細書には、電磁式の作動装置を記載してあり、該作動装置は、滑り部分、すなわち接極子並びに固定子を含んでいる。固定子（ステータ）は、滑り部分としての接極子と一緒に磁気回路を形成している。固定子は、さらに接極子の受容及び支持のために受容区分を含んでおり、該受容区分は内部に接極子を往復動可能に受容している。コイルによって、一方の方向への接極子の変位（移動）のための磁力を形成するようになっている。固定子と接極子との間の摩擦を減少させるために、接極子の受容のための受容開口部はニッケル燐酸塩で被覆されており、この場合に燐含有量は５乃至１５重量％である。
【０００７】
本発明に基づく構成では、磁極管内における接極子部分の支承は、薄いシート若しくはフォイル(foil)を介して行われており、該シート若しくはフォイル（薄片）は従来の被覆と代替されるようになっている。有利にはガラス繊維織物として成形されたフォイルは、支持体を形成しており、該支持体（支持構造体）は、減摩作用のあるPTFE若しくはテフロン物質又は弗素樹脂材料に機械的な安定性を付与している。薄いフォイルは有利にはマット状のガラス繊維織物として成形されており、ガラス繊維織物には焼結工程時に例えば両側にPTFEが施される。両側にPTFEを備えたフォイルは、たわみやすく、構造体として、例えばスリーブ若しくは円筒体としてロール曲げされる。フォイルマット若しくはフィル材料の切断片をスリーブ状の構造に変形加工若しくは成形加工することによって、フォイル材料は使用に適した形状を有するようになる。
【０００８】
ガラス繊維織物の厚さは、３０μｍ〜１５０μｍの範囲で選ばれる。ガラス繊維織物若しくはフォイル材料のより小さい厚さでは、磁力の横方向力は過度に増大し、より大きい厚さは磁気効率を損なうことになる。
【０００９】
有利な実施態様では、フォイル材料は、帯材からストリップ状に切り取られて、切断された両方の端部を互いに突き合わせた状態でスリーブに予め成形加工（曲げ加工）される。次いで、スリーブ状に曲げ加工されたフォイル材料は磁極管内に組み込まれる。曲げ加工されたスリーブ（フォイル材料）を磁極管内に挿入することによって形成される初期締め付け力（プレストレス）は、スリーブの固定のために十分である。このことは、磁極管内でのスリーブの固定のための付加的な工程が不要であり、特に継ぎ目に沿って互いに突き合せられた両方の端部を接合することが不要であることを意味している。フォイルを例えば磁極管の内部に挿入すると、フォイルは、接極子の組み込みによって磁極管と接極子の外周面との間の磁気遮断作用及び減摩作用の層を形成するようになっている。この場合に、接極子がフォイルに沿って滑動すること、若しくは接極子及びフォイルが存在知る遊びの範囲内で磁極管に対して相対的に滑動することは問題にはならない。フォイルの素材の厚さの寸法変動（誤差若しくはばらつき）は最小であり、３０μｍ〜１５０μｍの範囲内で許されるものであり、極めて良好な摩擦値を達成している。
【図面の簡単な説明】
【００１０】
【図１】圧力制御弁を破断して示す斜視図である。
【図２】スリーブ状に曲げられて両端を突き合わせて継ぎ目を形成するフォイル部材の斜視図である。
【００１１】
図１に示してあるように、圧力制御弁１０のケーシング１２は、コネクタ接続部１４を有している。コネクタ接続部１４は、マグネットコイル１６の電気的な接続のために用いられるものであり、マグネットコイル１６はコイル本体１８内に埋め込まれて、圧力制御弁１０のケーシング１２内に収容されている。圧力制御弁１０のケーシング１２内にはさらに、磁極管２０を配置してあり、該磁極管の外周には、断面Ｖ字形のＶ溝として形成された切欠き（環状に延びる凹設部）２２を成形してある。このような構成により、磁束は磁極管２０の影響を受けるようになっている。磁極管２０は内室を画成しており、該内室内には筒状の接極子２４を配置してあり、該接極子は接極子端面２６を備えていて、マグネットコイル１６への給電に応じて往復動させられるようになっている。接極子２４はばね４４によって負荷されており、該ばねはスリーブを介して、磁極管２０に支えられるか、圧力制御弁１０のケーシング１２を閉鎖する閉鎖カバー２８に支えられるようになっている。
【００１２】
接極子２４は、磁極管２０内において行程距離４６に依存して軸線方向で両方向に移動可能であり、ロッド３２を負荷するようになっている、該ロッド（押し棒又はプランジャー）には弁部分３４を受容してある。弁部分３４は皿形に形成されていて、液圧装置部分３６の入口通路３８を画定している弁座と協働し、つまり該弁座を開閉するようになっている。液圧装置部分３６内を、さらに出口通路４０が延びている。液圧装置部分３４の外周に設けられた溝内にはシールリング４２をはめ込んである。
【００１３】
図１に示す接極子２４は、外周面５０にフォイル５２を備えており、該フォイルは有利にはガラス繊維織物から成っていて、両面にPTFEを備えている。挿入されるフォイル５２は、予め円筒スリーブとして曲げられ、これによって互いに向き合う両方の端部（縁部）は突き合わせ継ぎ目を形成するものの、両方の端部間には隙間が残されている。スリーブ状（円筒形）に予め曲げて成形されたフォイル５２は、開いた継ぎ目の構成、つまり互いに相対して突き合わされて向き合う両方の端部間に隙間を残して形成された継ぎ目の構成に基づき、内部応力（応力たわみ若しくは弾性変形）を生じるようになっており、その結果、フォイル５２は磁極管２０内に容易に組み込まれて位置決めされる。スリーブとして成形されたフォイル５２の初期締め付け力（応力たわみ）は、磁極管２０及び滑り支承部３０に対する軸線方向の当接と相俟って、磁極管２０内でのフォイルの固定に十分である。このことは、さらなる追加工程、例えば磁極管２０内でのスリーブの固定作業が不要であることを意味している。
【００１４】
接極子２４を組み込んだ状態では、フォイル５２は磁極管２０と接極子２４との間の分離及び減摩作用のある層を形成している。この場合に原理的には、接極子２４が磁極管２０内に収容されたフォイル５２に沿って滑動すること、或いは接極子２４及びフォイル５２が接極子２４と磁極管２０との間の軸線方向遊びの範囲で磁極管２０内を軸線方向に滑動（摺動）することは、問題ではない。有利には機械的な安定性を得るための支持材料としてガラス繊維織物を含むフォイル５２は、外面、つまり磁極管２０に向いている面にも、内周面、つまり接極子の外周面に向いている面にもPTFEを備えている。
【００１５】
図２は、本発明に基づくフォイル５２の斜視図である。
【００１６】
図２に示してあるように、フォイル５２は予めスリーブ６４の形に、つまり円筒形に曲げられている。スリーブ６４の長手方向（軸線方向）に、該スリーブの長さ７０にわたって突き合わせ継ぎ目５８が延びている。フォイル５２を成形するための、有利には１つの帯材から切り取られた材料（素材としての帯材片又はストリップ）の両方の端部は、前記継ぎ合わせ継ぎ目５８で互いに相対して向き合わされていて、互いに間隔を置いて位置しており、つまり、両方の端部間には隙間が残されている。このようにして成形されたスリーブ（スリーブ体）６４は、フォイル５２の、PTFE材料５４のための支持部材として用いられた材料に、組み込み及び位置決めにとって重要な内部応力（初期締め付け力）を付与するようになっている。フォイル５２の材料の厚さは、符号５６で示してあり、２０μｍ乃至２００μｍ、有利には３０μｍ乃至１５０μｍである。スリーブ６４は、開いた第１の端面６０と開いた第２の端面６２を有し、つまりスリーブの両方の端面は開いている。
【００１７】
フォイル５２のための支持材料としてガラス繊維織物を用いると、フォイルは経済的に、つまり安価に製造される。このように用いられるフォイル材料は、特に材料の厚さに関する誤差変動が小さいことによって特徴づけられる。スリーブ６４として形成されたフォイル５２は、開いている突き合わせ継ぎ目５８及び内部応力に基づき容易に組み込まれ、かつ適切な摩擦特性を生ぜしめており、つまり接極子２４の外周面５８と磁極管２０の内周面との間の摩擦は、相応に減少されるようになっている。
【００１８】
さらに、磁極管２０内でフォイル５２を用いて接極子２４を支承すること及びフォイルをスリーブ６４として形成することにより、次の利点を達成しており、つまりフォイル５２は、帯材からストリップとして切り取られて、極めて簡単に継ぎ目のあるスリーブ６４に予め加工成形される。このようにスリーブ６４に加工成形された成形構成部分は、極めて簡単でかつわずかな組み付け工程で磁極管２０内に、つまり磁極管の内周面４８に組み付けられて位置決めされる。
【符号の説明】
【００１９】
１０  圧力制御弁、  １２  ケーシング、  １４  コネクタ接続部、  １６  マグネットコイル、  １８  コイル本体、  ２０  磁極管、  ２４  接極子、  ３６  液圧装置部分、  ３８  入口通路、  ４０  出口通路、  ４２  シールリング、  ４６  行程距離、  ５０  外周面、  ５２  フォイル、  ５８  突き合わせ継ぎ目
【図１】
2010511133.tif 000003
【図２】
2010511133.tif 000004
【国際調査報告】
2010511133.tif 000005
2010511133.tif 000006
2010511133.tif 000007
2010511133.tif 000008
2010511133.tif 000009
2010511133.tif 000010